(57)【特許請求の範囲】
【請求項１】
固定状態で設置され、釣竿を支承する竿受部を有する装置本体と、
釣竿に着脱自在に装着される竿固定部と、
装置本体に設けられ、竿固定部が係脱自在に係止して装着される装着部と、
竿固定部と装着部との係止状態を解除する操作部材と、
を具備し、
前記操作部材は、装着部に対する竿固定部の抜去方向に略沿ってスライドすることにより、竿固定部と装着部との係止状態を解除することを特徴とする釣竿支持装置。
【発明の詳細な説明】
【０００１】
【発明の属する技術分野】
本発明は、船縁等に取り付け固定されて釣竿を着脱自在に支持する釣竿支持装置に関する。
【０００２】
【従来の技術】
一般に、釣竿支持装置は、船縁に取り付け固定される装置本体と、釣竿に着脱自在に装着される竿固定部とからなる。前記装置本体は、釣竿を支承する略Ｕ字状の竿受部と、竿固定部が着脱自在に装着される装着部とを備えており、釣竿に取り付いた前記竿固定部が前記装着部に装着されることにより、釣竿を船縁に対して支持する。
【０００３】
このような構造の釣竿支持装置は、例えば特開平１０−７５６９８号公報に開示されている。この公報に開示されている釣竿支持装置の竿固定部には、釣竿と一緒に握持できる位置に、ハンドルが回動可能に設けられている。そして、竿固定部が装置本体の装着部に装着（係止）されている状態（置き竿の状態）で、ハンドルを上方に回動させると、装着部と竿固定部との係止状態が解除されるようになっている。
【０００４】
【発明が解決しようとする課題】
ところで、前記公報に開示されている釣竿支持装置では、釣竿と一緒に握持できる竿固定部の部位に、装着部と竿固定部との係止状態を解除するためのハンドルが設けられているため、ハンドルと釣竿とを握持して、ハンドルを上方に回動させつつ竿固定部を装着部から真上に抜き上げれば、装着部と竿固定部との係止状態が解除されて、釣竿支持装置による釣竿の支持状態を解除することができる。
【０００５】
すなわち、置き竿の状態から、釣竿を握持するとともに、握持した手の指をハンドルに引掛けてハンドルを引き上げるように回動操作すると、竿固定部と装置本体との係止状態が外れて釣竿を持ち上げることができるようになる。
【０００６】
しかし、ハンドルの回動操作によって装着部と竿固定部との係止状態が解除される（ハンドルを回動操作しなければ係止状態が解除されない）前記公報の構成では、ハンドルを指で握り込む方向（回動方向）と、竿固定部を装着部から抜き上げる方向（略真上の方向）とが一致せず、そのため、抜き上げ操作がしづらくなるといった問題がある。
【０００７】
すなわち、ハンドルを指で引き上げるように回動操作させると、その引き上げ量（回動量）に伴ってハンドルに対する指の当接位置（引掛け位置）が外方に逃げて変化し易く、また、ハンドルに対する指の引き上げ力の作用方向が斜め上方となってしまうため、釣竿とハンドルとに操作力をうまく伝達することができなくなり（力の伝達効率が悪くなり）、操作にある程度慣れていなければ、釣竿の支持状態を容易且つ迅速に解除することができない。
【０００８】
また、ハンドルを指で握り込む方向と竿固定部を装着部から抜き上げる方向とが一致していないと、特に手がコマセ等で汚れている場合には、竿固定部を装着部から抜き上げる際に、手が滑って、指がハンドルから外れたり、釣竿を落としてしまう虞もある。
【０００９】
本発明は前記事情に着目してなされたものであり、その目的とするところは、釣竿の支持状態を容易且つ迅速に解除することができる釣竿支持装置を提供することにある。
【００１０】
【課題を解決するための手段】
前記課題を解決するために、本発明の釣竿支持装置は、固定状態で設置され、釣竿を支承する竿受部を有する装置本体と、釣竿に着脱自在に装着される竿固定部と、装置本体に設けられ、竿固定部が係脱自在に係止して装着される装着部と、竿固定部と装着部との係止状態を解除する操作部材とを具備し、前記操作部材が、装着部に対する竿固定部の抜去方向に略沿ってスライドすることにより、竿固定部と装着部との係止状態を解除することを特徴とする。
【００１１】
【発明の実施の形態】
以下、図面を参照しつつ本発明の一実施形態について説明する。
【００１２】
図１〜図３は本発明の第１の実施形態を示している。図１は本実施形態に係る釣竿支持装置１によって釣竿５０を船縁２０に対して支持した状態を示している。図示のように、釣竿支持装置１は、船縁２０に取り付け固定される装置本体２と、釣竿５０に着脱自在に装着される竿固定部（クランプ）４とからなる。
【００１３】
装置本体２は基台３を備えている。基台３には、万力７によって船縁２０に取り付け固定される固定部５と、竿固定部４が着脱自在に装着される装着部１１とがそれぞれ一体的に設けられている。また、基台３には、前方に向かって延びる腕部１３が設けられている。この腕部１３の前端には、釣竿５０を支承する略Ｕ字状の竿受部１５が設けられている。なお、装着部１１には、竿固定部４の後述する係止部材１７が係脱自在に係止される軸部９が設けられている。
【００１４】
一方、竿固定部４は、装着部１１に着脱自在に装着される本体２３と、この本体２３との間で釣竿５０を挟持する固定部材２０とからなる。本体２３は、装着部１１に対して着脱される筒状の着脱部２３ａと、固定部材２０と協働して釣竿５０を挟持する挟持部２３ｂとを有している。なお、図２および図３に詳しく示されるように、着脱部２３ａの下端周縁部には、装着部１１の軸部９に回動可能に係合するＵ字状の２つの切り欠き３１，３１が対向して設けられている。
【００１５】
また、本体２３の両側にはそれぞれ螺子杆２２が揺動自在に取り付けられており（図では、片側の螺子杆２２のみが示されている）、２つのナット部材２１が固定部材２０側から対応する螺子杆２２に捩じ込まれることにより、固定部材２０が本体２３に対して取り付けられている。具体的には、ナット部材２１は、固定部材２０に設けられた貫通孔を通じて、螺子杆２２に螺合される。また、２つあるナット部材２１の一方は、固定部材２０に形成された切り欠き２０ａを通じて、螺子杆２２とともに側方に揺動できるようになっている。したがって、この構成の場合、竿固定部４は、例えば以下のようにして釣竿５０に装着される。
【００１６】
すなわち、まず、ナット部材２１を緩め、一方のナット部材２１を螺子杆２２とともに固定部材２０の切り欠き２０ａから側方に揺動せしめて固定部材２０から離脱させる。そして、その状態で、今度は、固定部材２０を、他方のナット部材２１およびこれが螺合する螺子杆２２とともに、前記一方のナット部材２１の揺動方向と反対方向に揺動せしめ、釣竿５０を本体２３の上方から挟持部２３ｂ上に載置できるようにする。続いて、釣竿５０を挟持部２３ｂ上に載置した後、固定部材２０を釣竿５０の上側から釣竿５０に当て付け、固定部材２０と挟持部２３ｂとの間で釣竿５０を挟み込む。その後、ナット部材２１を締め付ければ、固定部材２０と挟持部２３ｂとの間で釣竿５０が挟持され、結果的に、竿固定部４が釣竿５０に装着される。
【００１７】
また、竿固定部４の本体２３は、装着部１１の軸部９に係脱可能に係止される回動可能な係止部材１７と、係止部材１７を回動させて係止部材１７と軸部９との係止状態を解除する操作レバー（操作部材）２４とを有している。この場合、係止部材１７は、着脱部２３ａ内に位置し、着脱部２３ａに固設された支軸１８に回動可能に軸支されている。支軸１８は、着脱部２３ａの切り欠き３１が軸部９に係合した状態で、その中心が軸部９の中心から偏心するように設けられている。また、操作レバー２４は、着脱部２３ａの高さ方向（装着部１１に対する竿固定部４の抜去方向）に沿って形成されたスライド溝２９（図３参照）と係合しており、このスライド溝２９に沿ってスライドできる。なお、操作レバー２４は、釣竿５０と一緒に握持できる位置に、指掛け部２４ａを有している。
【００１８】
図２および図３に詳しく示されるように、係止部材１７には、装着部１１の軸部９に係脱自在に係止されるＵ字溝状の係止部１７ａと、軸部９と当接して軸部９を係止部１７ａへと案内するガイド面３９とが設けられている。また、係止部材１７には長溝３３が形成されており、この長溝３３には操作レバー２４に設けられたピン３５が貫通状態で係合している。また、係止部材１７は、支軸１８に巻回保持されたバネ２７によって、図中時計回りに回動する方向（係止部１７ａを軸部９に係止させる方向、操作レバー２４をスライド溝２９の下端位置に突き当てる方向）に付勢されている。この場合、バネ２７は、その一端が着脱部２３ａの内壁面に当て付けられるとともに、他端が係止部材１７に係止されている。
【００１９】
次に、上記構成の釣竿支持装置１の作用について説明する。
【００２０】
装置本体２の固定部５が船縁２０に固定され、釣竿５０に装着された竿固定部４が装着部１１に装着された図１の置き竿状態では、バネ２７の付勢力によって、係止部材１７の係止部１７ａが軸部９に係止されるとともに、操作レバー２４がスライド溝２９の下端位置に突き当てられている（図２も参照）。つまり、釣竿５０が釣竿支持装置１によって支持されている。
【００２１】
この図１の状態から、釣竿５０の支持状態を解除する場合には、まず、釣竿５０を握持するとともに、握持した手の指を操作レバー２４の指掛け部２４ａに引掛ける。その状態が図２に示されている。
【００２２】
この図２の状態から、操作レバー２４を上側にスライド操作しつつ、竿固定部４を装着部１１から真上に抜き上げると、図３に示されるように、バネ２７の付勢力に抗して係止部材１７が上側（反時計回り）に回動するとともに、係止部１７ａおよび切り欠き３１が軸部９から外れ、装着部１１と竿固定部４との係止状態が解除される。この時、操作レバー２４の操作方向と装着部１１に対する竿固定部４の抜き上げ方向とが一致するため、竿固定部４は装着部１１から容易に外れ、釣竿５０を簡単に持ち上げることができる。また、長溝３３内でピン３５が移動できるため、操作レバー２４のスライドを確実且つ滑らかに行なえる。
【００２３】
なお、装着部１１から竿固定部４が完全に外れた状態で、操作レバー２４から指を離すと、係止部材１７はバネ２７の付勢力によって再び元の位置まで回動して、操作レバー２４がスライド溝２９の下端位置まで引き戻される。
【００２４】
一方、装着部１１に竿固定部４を装着する場合には、操作レバー２４を操作することなく、単に竿固定部４を装着部１１側に押し込めば良い。具体的には、着脱部２３ａの切り欠き３１が軸部９と係合するように、着脱部２３ａを装着部１１に押し込む。この時、係止部材１７に形成されたガイド面３９が軸部９に押し付けられ、その押し付け力によって係止部材１７がバネの付勢力に抗して反時計回りに回動する（軸部９と支軸１８とが偏心しているため）。この回動によって、操作レバー２４は上方にスライドされ、また、軸部９はガイド面３９に沿って係止部１７ａへと案内される。そして、切り欠き３１の端部が軸部９に突き当たって、係止部１７ａが軸部９に係止されると、押し付け力の全てが軸部９によって受け止められて係止部材１７に作用しなくなるため、係止部材１７がバネ２７の付勢力によって元の位置まで時計回りに回動して、操作レバー２４がスライド溝２９の下端位置まで押し戻される（図１および図２の状態）。
【００２５】
以上説明したように、本実施形態の釣竿支持装置１において、竿固定部４（本体２３）と装置本体２（装着部１１）との係止状態を解除する操作レバー２４は、竿固定部４の高さ方向すなわち装置本体２に対する竿固定部４の抜去方向に沿って形成されたスライド溝２９と係合し、このスライド溝２９に沿ってスライドできるようになっている（操作レバー２４のスライド操作によって装置本体２と竿固定部４との係止状態が解除されるようになっている）。したがって、操作レバー２４の操作方向と装置本体２に対する竿固定部４の抜き上げ方向とが一致し、竿固定部４を装置本体２側から容易に取り外して釣竿５０の支持状態を簡単に解除することができる。
【００２６】
すなわち、操作レバー２４の無理のない自然な引き上げ操作が可能となり、操作レバー２４に当接する指の位置が安定する。つまり、操作レバー２４の引き上げ量に伴って操作レバー２４に対する指の引掛け位置が外方に不必要に逃げて変化することがなくなる。したがって、釣竿５０と操作レバー２４とに操作力を効率良く伝達することができ、竿固定部４を装置本体２から容易且つ迅速に取り外すことができる。
【００２７】
また、このように、操作レバー２４に対して力をかけ易くなれば、操作レバー２４（指掛け部２４ａ）を短く形成することが可能になる。すなわち、１本の指で操作レバー２４を操作することも可能になる。そのため、その分、釣竿５０をしっかり握ることができ、竿固定部４を装置本体２側から抜き上げる際に、手が滑って、指が操作レバー２４から外れたり、釣竿５０を落としてしまうといった事態を防止できる。
【００２８】
なお、本実施形態の操作レバー２４の移動量と従来の操作レバー１００の移動量との対比が図７に示されている。前述したように、本実施形態の操作レバー２４は、上下にスライドすることにより支軸１８を中心に係止部材１７を回動させて竿固定部４を装置本体２に対して係脱させるものである。これに対し、従来の操作レバー１００は、軸部９に係脱する係止部材１７を兼ねており、支軸１８を中心に回動して竿固定部４を装置本体２に対して係脱させるものである。ここで、操作レバー２４の移動量をＬ’とし、また、操作レバー２４の移動の両終端と同一の係脱状態を得るために必要な操作レバー１００の移動量をＬとすると、明らかに、本実施形態の操作レバー２４の移動量の方が距離Ｘだけ少なくて済む。すなわち、同一の係脱状態で比較した場合、本実施形態のスライド操作レバー２４のストロークＬ’は従来の回動操作レバー１００のストロークＬよりもＸだけ短い。したがって、操作レバー２４の移動範囲を大きく確保しなくて済むとともに、着脱機構（装置本体２に対して竿固定部４を係脱（着脱）する機構）を設けるためのスペースを減らすことができ、結果的に、釣竿支持装置１をコンパクトにできる。
【００２９】
図４および図５は本発明の第２の実施形態を示している。なお、本実施形態は、装着部１１と竿固定部４との係脱構造のみが第１の実施形態と異なる。したがって、以下、第１の実施形態と共通する構成部分については同一符号を付してその説明を省略する。
【００３０】
図４に示されるように、本実施形態において、操作レバー２４は装置本体２の装着部１１側に設けられている。具体的には、操作レバー２４は、装着部１１にその高さ方向（装着部１１に対する竿固定部４の抜去方向）に沿って形成されたスライド溝６０（図５参照）と係合しており、このスライド溝６０に沿ってスライドできる。
【００３１】
また、装着部１１には、操作レバー２４のスライドによって回動されるカム部材５１と、カム部材５１と係合可能に配置されたロック部材５０とが設けられている。この場合、カム部材５１は、装着部１１に固設された支軸５４に回動可能に軸支されている。また、ロック部材５０は、装着部１１に固設された支軸５３に回動可能に軸支されている。また、カム部材５１とロック部材５０は、圧縮バネ５２によって互いに連結されている。また、竿固定部４の本体２３の着脱部２３ａには、ロック部材５０と係合可能な軸部４０が設けられている。
【００３２】
カム部材５１は、ロック部材５０の後述する第２の係合部５７と係脱自在に係合する凸部５５を有している。また、カム部材５１には長溝５９が形成されており、この長溝５９には操作レバー２４に設けられたピン３５が貫通状態で係合している。
【００３３】
ロック部材５０は、竿固定部４の軸部４０と係脱自在に係合するＵ字溝状の第１の係合部５８と、カム部材５１の凸部５５と係脱自在に係合する第２の係合部５７とを有している。また、ロック部材５０には、凸部５５と当接して凸部５５を第２の係止部５７へと案内するガイド面５６が設けられている。
【００３４】
次に、上記構成の釣竿支持装置の作用について説明する。
【００３５】
竿固定部４が装着部１１に装着されて釣竿５０が支持された図４の状態では、竿固定部４の軸部４０がロック部材５０の第１の係合部５８と係合し、ロック部材５０の第２の係合部５７にカム部材５１の凸部５５が係合して、圧縮バネ５２が引き伸ばされている。この場合、第２の係合部５７と凸部５５との係合状態は、カム部材５１を図中時計回りに付勢するとともにロック部材５０を図中反時計回りに付勢する圧縮バネ５２によって保持される。また、圧縮バネ５２の付勢力は、カム部材５１を介して、操作レバー２４をスライド溝６０の下端位置に突き当てた状態に保持する。
【００３６】
図４の状態から、釣竿５０の支持状態を解除する場合には、釣竿５０を握持するとともに、握持した手の指を操作レバー２４の指掛け部２４ａに引掛けて、操作レバー２４を上側にスライド操作する。これにより、圧縮バネ５２の付勢力に抗してカム部材５１が上側（反時計回り）に回動し、第２の係合部５７と係合する凸部５５がロック部材５１をバネ５２の付勢力に抗して下側（時計回り）に回動させるようになる。そして、凸部５５によってロック部材５１が所定量時計回りに回動されると、凸部５５が第２の係合部５７を乗り越えてここから離脱する。
【００３７】
凸部５５が第２の係合部５７から離脱すると、ロック部材５０を時計回りに回動させる力が解除されるため、ロック部材５０は、カム部材５１の回動によってカム部材５１側に引き寄せられるバネ５２の付勢力により、反時計回りに回動されるようになる。そして、バネ５２が元の自然状態（弾性変形していない状態）に回復されるまで、ロック部材５０が反時計回りに回動されると、第１の係合部５８の開口が上側に向けられ、第１の係合部５８の開口から竿固定部４の軸部４０を離脱させることができるようになる。したがって、この状態で、竿固定部４を装着部１１側から抜き上げれば、釣竿５０の支持状態を解除して釣竿５０を持ち上げることができる。
【００３８】
無論、本実施形態の場合も、操作レバー２４の操作方向と装着部１１に対する竿固定部４の抜き上げ方向とが一致するため、操作レバー２４を上側にスライド操作しつつ竿固定部４を装着部１１から抜き上げれば、竿固定部４を装着部１１から容易に外すことができ、釣竿５０を簡単に持ち上げることができる。また、長溝５９内でピン３５が移動できるため、操作レバー２４のスライドを確実且つ滑らかに行なえる。
【００３９】
一方、装着部１１に竿固定部４を装着する場合には、操作レバー２４を操作することなく、単に竿固定部４を装着部１１側に押し込めば良い。具体的には、竿固定部４の軸部４０がロック部材５０の第１の係合部５８の内面に押し当たるように、竿固定部４を装着部１１側に押し込む。これにより、ロック部材５０が時計回りに回動し、この回動に伴って、ロック部材５０とバネ５２を介して連結されたカム部材５１も時計回りに回動される。このようにカム部材５１が時計回りに僅かに回動されると、カム部材５１の凸部５５がロック部材５０のガイド面５６に突き当たるようになる。凸部５５がガイド面５６に突き当たった状態で、ロック部材５１がさらに時計回りに回動されると、カム部材５１は、凸部５５に作用するガイド面５６からの反力によって、今度は反時計回りに回動されはじめる。この互いに相反する両者５０，５１の回動によって、凸部５５がガイド面５６に沿って第２の係合部５７へと案内され、また、圧縮バネ５２が伸長され続ける。そして、ガイド面５６の案内によって凸部５５が第２の係合部５７に係合すると、第１の係合部５８の開口がカム部材５１と対向して内側を向くようになり、第１の係合部５８からの軸部４０の抜けが防止されて、装着部１１に竿固定部４が完全に装着される。この状態は、圧縮バネ５２の付勢力によって保持される。また、この状態では、操作レバー２４がスライド溝６０の下端位置に押し当てられる（図４参照）。
【００４０】
このように、本実施形態においても、操作レバー２４の操作方向と装着部１１に対する竿固定部４の抜き上げ方向とが一致しているため、第１の実施形態と同様の作用効果を得ることができる。
【００４１】
図６は本発明の第３の実施形態を示している。なお、本実施形態も、装着部１１と竿固定部４との係脱構造のみが第１の実施形態と異なる。したがって、以下、第１の実施形態と共通する構成部分については同一符号を付してその説明を省略する。
【００４２】
図示のように、本実施形態において、操作レバー２４は、第１の実施形態と同様、竿固定部４の着脱部２３ａ側に設けられている。具体的には、操作レバー２４は、着脱部２３ａにその高さ方向（装着部１１に対する竿固定部４の抜去方向）に沿って形成されたスライド溝（図示せず）と係合しており、このスライド溝に沿ってスライドできる。
【００４３】
また、着脱部２３ａ内には、係止部材７３が回動可能に設けられている。この場合、係止部材７３は、着脱部２３ａに固設された支軸７４に回動可能に軸支されている。また、係止部材７３は、装着部１１の後述する回動部材７０と係脱自在に係合する凸部７９を有している。また、係止部材７３には一端が開放された長溝７５が形成されており、この長溝７５には操作レバー２４に設けられたピン３５が貫通状態で係合している。
【００４４】
一方、装着部１１には、竿固定部４が装着される回動部材７０が設けられている。この場合、回動部材７０は、装着部１１に固設された支軸７６に回動可能に軸支されている。また、回動部材７０には、係止部材７３の凸部７９と係脱自在に係合する環状溝７１と、環状溝７１からの凸部７９の離脱をガイドするテーパ面７２とが形成されている。
【００４５】
次に、上記構成の釣竿支持装置の作用について説明する。
【００４６】
竿固定部４が装着部１１に装着されて釣竿５０が支持された図６の状態では、係止部材７３の凸部７９が回動部材７０の環状溝７１に係合されている。また、この状態において、竿固定部４は回動部材７０を中心に回動することができる。したがって、釣竿５０を様々な方向に向けることが可能となる。
【００４７】
図６の状態から、釣竿５０の支持状態を解除する場合には、まず、釣竿５０を握持するとともに、握持した手の指を操作レバー２４の指掛け部２４ａに引掛ける。そして、操作レバー２４を上側にスライド操作しつつ、竿固定部４を回動部材７０から真上に抜き上げると、係止部材７３が上側（反時計回り）に回動するとともに、係止部材７３の凸部７９が回動部材７０のテーパ面７２に沿って環状溝７１から離脱し、回動部材７０と竿固定部４との係止状態が解除される。この時、操作レバー２４の操作方向と回動部材７０に対する竿固定部４の抜き上げ方向とが一致するため、竿固定部４は回動部材７０から容易に外れ、釣竿５０を簡単に持ち上げることができる。また、長溝７５内でピン３５が移動できるため、操作レバー２４のスライドを確実且つ滑らかに行なえる。
【００４８】
一方、回動部材７０に竿固定部４を装着する場合には、操作レバー２４を操作することなく、単に竿固定部４（着脱部２３ａ）を回動部材７０に押し込めば良い。この押し込み動作により、係止部材７３が回動部材７０の頭部に突き当たって回動し、凸部７９が前記頭部に形成された案内面にガイドされながら環状溝７１に係合するようになる。環状溝７１と凸部７９との係合であるため、釣竿５０をどの方向に向けた状態でも、竿固定部４を回動部材７０に装着することができる。
【００４９】
【発明の効果】
以上説明したように、本発明の釣竿支持装置によれば、釣竿の支持状態を容易且つ迅速に解除することができる。
【図面の簡単な説明】
【図１】本発明の第１の実施形態に係る釣竿支持装置の一部断面を含む側面図である。
【図２】図１の釣竿支持装置の要部の拡大断面図である。
【図３】竿固定部が装着部から抜去された状態を示す図１の釣竿支持装置の要部の拡大断面図である。
【図４】本発明の第２の実施形態に係る釣竿支持装置の要部の拡大断面図である。
【図５】竿固定部が装着部から抜去された状態を示す図４の釣竿支持装置の要部の拡大断面図である。
【図６】本発明の第３の実施形態に係る釣竿支持装置の要部の拡大断面図である。
【図７】第１の実施形態の操作レバーの移動量と従来の操作レバーの移動量とを対比した図である。
【符号の説明】
１…釣竿支持装置
２…装置本体
４…竿固定部
１１…装着部
１５…竿受部
２４…操作レバー（操作部材）
【図１】
0003716145.tif 000002
【図２】
0003716145.tif 000003
【図３】
0003716145.tif 000004
【図４】
0003716145.tif 000005
【図５】
0003716145.tif 000006
【図６】
0003716145.tif 000007
【図７】
0003716145.tif 000008